(57)【要約】【課題】器具本体の前面をフラットにして、美観を向上させるとともに、グリル調理の際に、使用者の意図に反して、調理終了する前にグリルが自動消火してしまうことを防止して、効率よく、確実に、調理を行うことが可能な利便性の高いグリル付きガスコンロを提供する。【解決手段】使用時には操作・表示位置に移行するように構成されたグリル用の付加機能操作・表示部３３を備えたグリル付きガスコンロにおいて、グリル用の付加機能操作・表示部３３が収納位置に保持された状態で、グリル自動消火タイマーが動作した場合に、グリル自動消火タイマーが動作していることを報知する報知手段を備えた構成とする。  また、グリルの燃焼を知らせる燃焼表示手段を報知手段として機能させる。  また、調理の終了などを音または音声で知らせる手段を報知手段として機能させる。【選択図】図６
2006204769.tif 000002
【特許請求の範囲】
【請求項１】
ガスコンロ本体と、ガスコンロ本体に配設されたグリルと、ガスコンロ本体およびグリルの点消火部および火力調節部と、グリル自動消火タイマーと、自動消火タイマーの設定などの付加機能の設定と表示を行う付加機能操作・表示部であって、使用しない場合には収納位置に保持でき、使用時には操作および表示が可能な操作・表示位置に移行できるように構成された付加機能操作・表示部とを具備するグリル付きガスコンロにおいて、
前記付加機能操作・表示部が収納位置に保持された状態で、グリル自動消火タイマーが動作した場合に、グリル自動消火タイマーが動作していることを報知する報知手段を具備していること
を特徴とするグリル付きガスコンロ。
【請求項２】
グリルの点消火部または、グリルの点消火部およびグリルの火力調節部がガスコンロ本体の外部に露出した構造を有するものであることを特徴とする請求項１記載のグリル付きガスコンロ。
【請求項３】
グリル自動消火タイマーがグリルの点火と同時にスタートするように構成されていることを特徴とする請求項１または２記載のグリル付きガスコンロ。
【請求項４】
グリル付きガスコンロが、グリル燃焼時にＯＮとなってグリルが燃焼していることを知らせる燃焼表示手段を備えている場合において、前記燃焼表示手段を点滅動作させることにより、前記燃焼表示手段を前記報知手段として機能させるようにしたことを特徴とする請求項１〜３のいずれかに記載のグリル付きガスコンロ。
【請求項５】
グリル付きガスコンロが、調理の終了などを音または音声で知らせる手段を備えている場合において、前記手段を前記報知手段として機能させるようにしたことを特徴とする請求項１〜４のいずれかに記載のグリル付きガスコンロ。
【請求項６】
前記付加機能操作・表示部を自動的に収納位置から操作・表示位置に移行させる自動移行手段を前記報知手段として備え、グリル自動消火タイマーが動作した場合に、付加機能操作・表示部を操作・表示位置に自動的に移行させてグリル自動消火タイマーの動作していることを報知するように構成されていることを特徴とする請求項２〜５のいずれかに記載のグリル付きガスコンロ。
【発明の詳細な説明】
【技術分野】
【０００１】
本願発明は、グリル付きガスコンロに関し、詳しくは、グリル付きガスコンロに発火防止のための自動消火タイマーを設けた場合において、自動消火タイマーの作動を確実に知らせることができるようにしたグリル付きガスコンロに関する。
【背景技術】
【０００２】
近年、魚や肉などを焼く場合などに用いられるグリルを備えたグリル付きガスコンロが広く用いられている。
そして、このようなグリル付きガスコンロには、グリルにおける発火を防止するための自動消火タイマーを備えたものがある。
【０００３】
また、近年のグリル付きガスコンロでは、発火防止の観点から、連続燃焼時間に予め制約（例えば、最大１５分間）を設けるとともに、点火と同時に一般的な魚が焼ける時間として、燃焼タイマー（自動消火タイマー）が所定時間（例えば、７〜９分間）に自動セットされるように構成されているとともに、自動セットされたタイマー時間を使用者が必要に応じて変更して使用することができるように構成されている。
【０００４】
また、近年は、グリル付きガスコンロとして、使用しない場合には収納位置に保持され、使用時には操作および表示が可能な操作・表示位置に移行するように構成された、グリル自動消火タイマーの設定などの付加機能の設定と表示を行う付加機能操作・表示部を備えたデザイン製を重視したグリル付きガスコンロが提案されるに至っている（例えば、特許文献１参照）。
【０００５】
このグリル付きガスコンロ（三口のビルトインコンロ）は、図１３，図１４に示すように、温度センサ付きガスコンロ部５２ａ、高火力ガスコンロ部５２ｂ、小火力ガスコンロ部５２ｃの３つのコンロバーナと、両面焼きグリル５４とを備えており、コンロ本体５１の前面の下部の左側にはコンロ部側操作パネル５５ａ、コンロ本体５１の前面の下部の右側には、点消火部を含むグリル側操作パネル５５ｂが、使用しない場合には収納位置に保持でき、使用時には操作および表示が可能な操作・表示位置に移行できるように収納可能に構成されている。
【０００６】
なお、図１３は、コンロ部側操作パネル５５ａ、グリル側操作パネル５５ｂが収納位置に収納された状態を示しており、図１４は、コンロ部側操作パネル５５ａ、グリル側操作パネル５５ｂが回動して、コンロ本体５１の内部から操作・表示位置に飛び出した状態（引き出された状態）を示している。
【０００７】
このように構成されたグリル付きガスコンロは、使用しない場合にはコンロ部側操作パネル５５ａおよびグリル側操作パネル５５ｂが収納位置に保持できた状態となるため、コンロ本体５１の前面がフラットになり、美観を向上させることができるという特徴を有している。
【０００８】
一方、上述のグリル付きガスコンロと類似しているが、グリルの点消火部、またはグリルの点消火部およびグリルの火力調節部をガスコンロ本体の外部に配設し、グリルの点消火部、またはグリルの点消火部およびグリルの火力調節部以外の、グリル自動消火タイマーなどを含むグリル側操作パネルを収納可能にしたグリル付きガスコンロも提案されている。
しかしながら、グリルの点消火部、またはグリルの点消火部およびグリルの火力調節部をガスコンロ本体の外部に配設したグリル付きガスコンロにおいては、グリル側操作パネルが収納状態にある場合にもグリルの点消火を行うことができるため、グリルの点火だけを行って、グリル自動消火タイマーの設定を怠る場合があり、使用者の意図や認識とは関係なく、魚などが十分に焼けないような短い時間で自動消火してしまうという不具合があり、さらに調理の確実性を向上させる余地があるのが実情である。
また、グリルの点火を行うと自動消火タイマーが自動的に作動するように構成されている場合にも、グリル側操作パネルが収納状態にある場合、自動消火タイマーが動作しているか否かや、設定条件が適切であるか否かがわからず、使用者の意図するような調理を行うことができない場合が生じるという不具合がある。
【特許文献１】特開２００４−２６３９００号公報
【発明の開示】
【発明が解決しようとする課題】
【０００９】
本願発明は、上記課題を解決するものであり、器具本体の前面をフラットにして、美観を向上させることが可能であるとともに、グリル調理の際に、使用者の意図に反して、調理が終了する前の段階で（短い時間で）グリルが自動消火してしまうことを防止して、確実に所望の調理を行うことが可能な利便性の高いグリル付きガスコンロを提供することを目的とする。
【課題を解決するための手段】
【００１０】
上記課題を解決するために、本願発明（請求項１）のグリル付きガスコンロは、
ガスコンロ本体と、ガスコンロ本体に配設されたグリルと、ガスコンロ本体およびグリルの点消火部および火力調節部と、グリル自動消火タイマーと、自動消火タイマーの設定などの付加機能の設定と表示を行う付加機能操作・表示部であって、使用しない場合には収納位置に保持でき、使用時には操作および表示が可能な操作・表示位置に移行できるように構成された付加機能操作・表示部とを具備するグリル付きガスコンロにおいて、
前記付加機能操作・表示部が収納位置に保持された状態で、グリル自動消火タイマーが動作した場合に、グリル自動消火タイマーが動作していることを報知する報知手段を具備していること
を特徴としている。
【００１１】
また、請求項２のグリル付きガスコンロは、請求項１記載の発明の構成において、グリルの点消火部または、グリルの点消火部およびグリルの火力調節部がガスコンロ本体の外部に露出した構造を有するものであることを特徴としている。
【００１２】
また、請求項３のグリル付きガスコンロは、請求項１または２記載の発明の構成において、グリル自動消火タイマーがグリルの点火と同時にスタートするように構成されていることを特徴としている。
【００１３】
また、請求項４のグリル付きガスコンロは、請求項１〜３のいずれかに記載の発明の構成において、グリル付きガスコンロが、グリル燃焼時にＯＮとなってグリルが燃焼していることを知らせる燃焼表示手段を備えている場合において、前記燃焼表示手段を点滅動作させることにより、前記燃焼表示手段を前記報知手段として機能させるようにしたことを特徴としている。
【００１４】
また、請求項５のグリル付きガスコンロは、請求項１〜４のいずれかに記載の発明の構成において、調理の終了などを音または音声で知らせる手段を備えている場合において、前記手段を前記報知手段として機能させるようにしたことを特徴としている。
【００１５】
また、請求項６のグリル付きガスコンロは、請求項２〜５のいずれかに記載の発明の構成において、付加機能操作・表示部を自動的に収納位置から操作・表示位置に移行させる自動移行手段を報知手段として備え、グリル自動消火タイマーが動作した場合に、付加機能操作・表示部を操作・表示位置に自動的に移行させてグリル自動消火タイマーの動作していることを報知するように構成されていることを特徴としている。
【発明の効果】
【００１６】
本願発明（請求項１）のグリル付きガスコンロは、ガスコンロ本体と、ガスコンロ本体に配設されたグリルと、ガスコンロ本体およびグリルの点消火部および火力調節部と、グリル自動消火タイマーと、自動消火タイマーの設定などの付加機能の設定と表示を行う付加機能操作・表示部であって、使用しない場合には収納位置に保持でき、使用時には操作および表示が可能な操作・表示位置に移行できるように構成された付加機能操作・表示部とを具備するグリル付きガスコンロにおいて、付加機能操作・表示部が収納位置に保持された状態で、グリル自動消火タイマーが動作した場合に、グリル自動消火タイマーが動作していることを報知する報知手段を具備しているので、付加機能操作・表示部が収納位置に保持された状態で、グリル自動消火タイマーが動作した場合に、グリル自動消火タイマーが動作していることを確実に使用者に報知して、使用者が意図する調理時間を確保することができるように、自動消火タイマーを適切な時間に設定することを促すことが可能になる。したがって、器具本体の前面がフラットで、美観に優れ、かつ、グリルで調理される魚などが十分に焼けないような短い時間でグリルが自動消火してしまうというような不具合を防止することが可能な、信頼性の高いグリル付きガスコンロを提供することが可能になる。
【００１７】
また、請求項２のグリル付きガスコンロのように、請求項１記載の発明の構成において、グリルの点消火部または、グリルの点消火部およびグリルの火力調節部がガスコンロ本体の外部に露出した構造を有するものにおいては、グリルの点火だけが行われて、グリル自動消火タイマーの設定を怠る場合が生じることが考えられるが、そのような場合にも本願発明を適用することにより、自動消火タイマーを適正な時間に設定することを促すことが可能になり、調理が終了する前にグリルが自動消火してしまうというような不具合の発生を防止して、確実に所望の調理を行うことが可能なグリル付きガスコンロを提供することが可能になる。
【００１８】
また、本願発明は、グリル自動消火タイマーを、グリルの点火とは別に作動させるようにしたグリル付きガスコンロ、および、グリル自動消火タイマーをグリルの点火と同時にスタートさせるようにしたグリル付きガスコンロの両方に適用することが可能である。しかしながら、グリル自動消火タイマーがグリルの点火と同時にスタートするように構成されたグリル付きガスコンロの場合には、自動消火タイマーを適正な時間に設定することを忘れる場合がある。このような場合に、そのようなグリル付きガスコンロに本願発明を適用することにより（請求項３）、自動消火タイマーを適正な時間に設定することを促すことが可能になり、調理が終了する前にグリルが自動消火してしまうことを防止して、確実に所望の調理を行うことが可能なグリル付きガスコンロを提供することが可能になる。
【００１９】
また、請求項４のグリル付きガスコンロのように、グリル付きガスコンロが、グリル燃焼時にＯＮとなってグリルが燃焼していることを知らせる燃焼表示手段を備えている場合において、燃焼表示手段を点滅動作させることにより、燃焼表示手段を報知手段として機能させるようにした場合、別に報知手段を設けることによるコストの増大を招くことなく、確実に、自動消火タイマーを適正な時間に設定することを促すことが可能になる。したがって、器具本体の前面がフラットで、美観に優れ、かつ、グリルで調理される魚などが十分に焼けないような短い時間でグリルが自動消火してしまうというような不具合を防止することが可能な、信頼性の高いグリル付きガスコンロを提供することが可能になる。
なお、燃焼表示手段としては通常、ＬＥＤなどが用いられるが、例えば、このＬＥＤを点滅動作させることにより、ＬＥＤを報知手段として機能させることができる。
【００２０】
また、請求項５のグリル付きガスコンロのように、グリル付きガスコンロが、調理の終了などを音または音声で知らせる手段を備えている場合において、該手段を報知手段として機能させるようにした場合にも、別に報知手段を設けることによるコストの増大を招くことなく、確実に、自動消火タイマーを適正な時間に設定することを促すことが可能になる。したがって、器具本体の前面がフラットで、美観に優れ、かつ、グリルで調理される魚などが十分に焼けないような短い時間でグリルが自動消火してしまうというような不具合を防止することが可能な、信頼性の高いグリル付きガスコンロを提供することが可能になる。
なお、調理の終了などを音または音声で知らせる手段を報知手段として機能させるとは、例えば、音声の場合には、「タイマー時間、８分がセットされました。必要であればタイマー時間を変更してください。」などの報知をしたり、ブザーなどの音の場合には、点火操作後の報知や、また、点火操作後の報知だけでなく、その後に、間欠警鐘させたりすることなどを意味する概念である。
【００２１】
また、請求項６のグリル付きガスコンロのように、付加機能操作・表示部を自動的に収納位置から操作・表示位置に移行させる自動移行手段を報知手段として備え、グリル自動消火タイマーが動作した場合に、付加機能操作・表示部を操作・表示位置に自動的に移行させてグリル自動消火タイマーの動作していることを報知するように構成した場合、グリル自動消火タイマーの動作が報知されると同時に、付加機能操作・表示部を操作・表示位置に移行するため、使用者は、そのままグリル自動消火タイマーの動作の確認と、その後のタイマー時間の設定を行うことが可能になり、操作容易性を向上させることが可能になる。
また、付加機能操作・表示部の操作・表示位置への移行動作とともに、請求項４の燃焼表示手段の動作と、請求項５の音または音声で知らせる動作を行わせることにより、さらに確実な報知を行うことが可能になり、より信頼性を向上させることが可能になる。
【発明を実施するための最良の形態】
【００２２】
以下に本願発明の実施例を示して、本願発明の特徴とするところをさらに詳しく説明する。
【実施例１】
【００２３】
この実施例１では、本願発明の一実施例にかかるグリル付きガスコンロについて説明する。
なお、図１は本願発明の一実施例にかかるグリル付きガスコンロ（請求項１〜５の発明の構成に対応）を示す図である。
【００２４】
このグリル付きガスコンロは、図１に示すように、標準バーナ１ａ、高火力バーナ１ｂ、および小バーナ１ｃの３つのコンロバーナと、１つの上側バーナ２ａ（図８参照）と２つの下側バーナ２ｂ，２ｃ（図８参照）とを備えた両面焼きのグリル４とを備えた三口のビルトインコンロであり、バーナ操作部２１（標準バーナ１ａの点消火、並びに火力調節を行う標準バーナ操作部２１ａ、高火力バーナ１ｂの点消火、並びに火力調節を行う高火力バーナ操作部２１ｂ、および小バーナ１ｃの点消火、並びに火力調節を行う小バーナ操作部２１ｃ）が器具本体１０の前面に配置されている。
【００２５】
さらに、器具本体１０の前面の右側には、グリル４の上側バーナ２ａおよび下側バーナ２ｂ，２ｃの点消火、並びに火力調節を行うグリルバーナ操作部２２が配置されている。
【００２６】
上記標準バーナ操作部２１ａ、高火力バーナ操作部２１ｂ、小バーナ操作部２１ｃ、およびグリルバーナ操作部２２は、使用しない場合には、器具本体１０の前面がフラットになるように、器具本体１０の内部に収納されるように構成されている。
【００２７】
そして、器具本体１０の前面右上に配置された電源スイッチ２４をＯＮにして電源ランプ２５が点灯した後に、図２(ａ)に示すように、上記標準バーナ操作部２１ａ、高火力バーナ操作部２１ｂ、および小バーナ操作部２１ｃを押し込み操作をすることにより、標準バーナ１ａ、高火力バーナ１ｂ、および小バーナ１ｃが点火するとともに、図２(ｂ)に示すように、各バーナ操作部２１ａ，２１ｂ，２１ｃが内部から飛び出して、火力調節を行うことができるように構成されている。なお、各バーナ１ａ，１ｂ，１ｃに点火した場合には、図２(ｃ)に示すように、燃焼表示ランプ２３が点灯して、点火を確認することができるように構成されている。
【００２８】
また、グリルバーナ操作部２２についても、同様に、押し込み操作をすることにより、グリルバーナが点火するとともに、グリルバーナ操作部２２が器具本体１０の内部から外側に飛び出して、火力調節を行うことができるように構成されている。
【００２９】
また、図３(ａ)に示すように、各バーナ操作部２１ａ，２１ｂ，２１ｃを再度押し込むことにより、各バーナ１ａ，１ｂ，１ｃの消火動作が実行されるとともに、図３(ｂ)に示すように、各バーナ操作部２１ａ，２１ｂ，２１ｃが器具本体１０の内部に収納されるように構成されている。
なお、各バーナ１ａ，１ｂ，１ｃの消火動作が終わった場合には、図３(ｃ)に示すように、燃焼表示ランプ２３が消灯して、消火を確認することができるように構成されている。
【００３０】
さらに、グリルバーナ操作部２２についても、同様に、グリルバーナ操作部２２を再度押し込むことにより、消火動作が実行されるとともに、グリルバーナ操作部２２が器具本体１０の内部に収納されるように構成されている。
【００３１】
また、図１，図４(ａ)，(ｂ)に示すように、器具本体１０の前面の、温度センサを設けた標準バーナ１ａの位置する側である左側の下部には、使用しない時には器具本体１０の内部に収納され、使用時には操作・表示位置に移行するように構成された、標準バーナ１ａの温調機能（湯沸し、揚げ物、炊飯）とタイマー機能についての操作および表示を行う標準バーナ用の付加機能操作・表示部３２が配設されている。なお、標準バーナ用の付加機能操作・表示部３２（図５参照）は、いわゆるカンガルーポケット機構により、使用時には前・下側に回動して操作および表示が可能な操作・表示位置に移行でき（図４(ｂ)参照）、使用しない時には、図４(ａ)に示すように、器具本体１０の内部に保持できるように構成されている。
【００３２】
さらに、図１，図６に示すように、器具本体１０の前面の右側下部には、使用しない時には器具本体１０の内部に保持でき、使用時には操作・表示位置に移行できるように構成された、グリルバーナのオート調理機能（メニュー、焼き加減）とタイマー機能についての操作および表示を行うグリル用の付加機能操作・表示部３３（図７参照）が配設されている。なお、グリル用の付加機能操作・表示部３３は、上述の標準バーナ用の付加機能操作・表示部３２と同様に、いわゆるカンガルーポケット機構により、使用時には前・下側に回動して操作および表示が可能な操作・表示位置に移行でき、使用しない時には器具本体１０の内部に保持できるように構成されている（図６参照）。
【００３３】
なお、この実施例１のグリル付きガスコンロにおいて、グリル用の付加機能操作・表示部３３は、図９に示すように、収納位置にある状態で器具本体１０の前面側から押し込まれたときに、浮出ラッチ４１によるロック状態が解除され、バネ４２の付勢力により器具本体１０から飛び出して、前方・下方に回動し、操作・表示位置に移行し、また、操作・表示位置にある時に、器具本体１０に押し込まれることにより、浮出ラッチ４１がロック状態となり、器具本体１０の内部に収納された状態に保たれるように構成されている。
【００３４】
また、図８は、この実施例１のグリル付きガスコンロの構成を示す図である。
すなわち、この実施例１のグリル付きガスコンロは、温度調節が可能な標準バーナ１ａ，高火力バーナ１ｂ、小バーナ１ｃの３つのコンロバーナ、上側バーナ２ａと下側バーナ２ｂ，２ｃを備えた両面焼きのグリル４、各コンロバーナ１ａ，１ｂ，１ｃ，および各グリルバーナ２ａ，２ｂ，２ｃへのガス量調節を行うモーター弁（閉止機能付きガス量調節弁）３、モーター弁３の開度を検出するための位置センサ１９、グリル４からの燃焼ガスの温度を検出する排ガス温度センサ５、グリル４の庫内温度を検出する庫内温度センサ６、各バーナに点火するための点火プラグ７、各バーナの着火を検出する熱電対８、標準バーナ１ａに載置される鍋の底の温度を検出する鍋底温度センサ９、グリル用の付加機能操作・表示部３３が収納位置に収納されているか引き出されているかを検出するためのマイクロスイッチ２０（図９参照）、主ガス配管１１、ガス元電磁弁（遮断弁）１２、標準バーナ１ａ用の副ガス配管１３ａ，高火力バーナ１ｂ用の副ガス配管１３ｂ、小バーナ１ｃ用の副ガス配管１３ｃ、各グリルバーナ２ａ，２ｂ，２ｃ用の副ガス配管１３ｄ、グリル用ガスガバナ１４、オリフィス側分岐路１５、各グリルバーナ２ａ，２ｂ，２ｃ用の切替電磁弁（火力切替弁）１６、切替電磁弁側分岐路１７、オリフィス１８、燃焼制御部Ｈ、手動操作表示部（付加機能操作・表示部３２および３３がこれに含まれる）Ｓ、調理の自動終了や異常による自動消火を報知するブザーＢなどを備えており、各部は、図８に示すような態様で配設されている。
【００３５】
また、グリル用の付加機能操作・表示部３３が収納位置に収納されているか操作・表示位置に引き出されているかを検出するためのマイクロスイッチ２０は、図９に示すように、グリル用の付加機能操作・表示部３３の背面（右側のカンガルーポケットの背面）に配設されている。すなわち、マイクロスイッチ２０は、図９に示すように、グリル用の付加機能操作・表示部３３が器具本体１０内に収納される時に、器具本体１０の内部の浮出ラッチ４１の固定部Ｋに当接し、接点がＯＮすることによって、グリル用の付加機能操作・表示部３３が収納状態にあることを検出する収納状態検出手段として機能するように構成されている。
【００３６】
なお、この実施例のグリル付きガスコンロのグリル用の付加機能操作・表示部３３は、タイマーを設定して、所定時間の調理を行うタイマー機能を利用した調理方法（タイマー方式）と、調理の種類（メニュー）を選ぶことにより、グリル付きガスコンロの制御部が自動的に調理条件を設定して調理を行うオートグリル方式の調理の両方に対応することができるように構成されている。
【００３７】
オートグリル方式で調理を行う場合、調理の種類（メニュー、例えば、魚の姿焼き）を選択した後、グリルバーナを点火すると、ガスコンロの制御部が自動的に設定した調理条件で、オートグリルによる調理が開始される。そして、被調理物（魚など）の熱容量の大きさに応じて所定の時間が経過し、グリル４内の温度が調理時間を予測することが可能な所定の温度まで上昇すると、オートグリル調理における残り調理時間の表示が行われる。なお、このオートグリルモードで調理を行う場合、使用者がタイマーを設定する必要がないので、必ずしも本願発明における報知を行う対象とはならない。
【００３８】
一方、本願発明が関連する、タイマー機能を利用した調理方法（タイマー方式）で調理を行う場合、グリルバーナ操作部２２により点火動作を行うと調理タイマーの設定操作を行わなくとも、タイマー機能が作動し、グリル用の付加機能操作・表示部３３が設定したタイマー時間を表示する。このタイマー機能を利用した調理モードの場合、グリル用の付加機能操作・表示部３３が収納状態にあると、タイマーの設定の有無および設定状態を外部から確認できないため、燃焼制御部がグリル４の自動消火タイマーを自動的に設定した場合、その設定時間が被調理物に適合していない場合、所望の調理が終了する前に消火が行われたり、調理時間が適正時間より長くなって焼けこげが生じたりすることになるため、対策が必要となる。
【００３９】
次に、この実施例１のグリル付きガスコンロにおけるグリルの操作方法について説明する。
(１)まず、電源スイッチ２４をＯＮにして電源ランプ２５を点灯させる。
(２)グリルバーナ操作部２２を押し込み操作することにより、グリルバーナ（上側バーナ２ａ，下側バーナ２ｂ，２ｃ）の点火動作を行う。
具体的には、ガス元電磁弁１２とモーター弁３を開き、切替電磁弁（火力切替弁）１６を、両面焼きのグリル４の上火および下火ともに強火になるように開操作し、上側バーナ２ａ、下側バーナ２ｂ，２ｃに備え付けられた点火プラグ７によるスパークによって点火する。
その後、各バーナに備え付けられた熱電対８による火炎検出によって点火動作が終了する。なお、所定時間内に火炎が検知されない場合は、不着火エラーとなる。
(３)上記(２)の工程で着火を確認した後、燃焼制御部Ｈは、グリル４の自動消火タイマーを、標準的な魚（たとえば、さんま２匹〜３匹）が焼ける時間である８分にセットしてスタートさせるとともに、そのカウントダウン表示を、器具本体１０内に収納可能に配設された、グリル用の付加機能操作・表示部３３（図７参照）のタイマー表示部に表示する。
なお、このグリル用の付加機能操作・表示部３３の背面（右側のカンガルーポケットの背面）にはマイクロスイッチ２０が、図８，図９に示すような態様で取り付けられており、収納時に、器具本体１０の内部の浮出ラッチ４１の固定部Ｋに当たり、接点がＯＮになっている場合には、グリル用の付加機能操作・表示部３３が収納状態にあること、マイクロスイッチ２０の接点がＯＦＦになっている場合には、グリル用の付加機能操作・表示部３３が操作・表示位置に飛び出していることを検出する。
(４)そして、グリルバーナの燃焼中に、収納状態検出手段（マイクロスイッチ）２０によりグリル用の付加機能操作・表示部３３の収納状態を検出している間、すなわち、使用者にグリル自動消火タイマーの設定の有無や、設定状態を表示することができていない間は、器具本体１０の前面に位置するグリルバーナの燃焼表示ランプ２３（図２、３参照）を点滅させるとともに、調理の終了や異常による自動消火などを報知するブザーＢ（図８）を間欠警鐘するように構成されている。
(５)そして、上述の報知により、グリル自動消火タイマーの適切な設定を行うことを促された使用者が、適切なタイマー設定操作を行うことにより、報知が停止するとともに、確実に調理が行われることになる。
【００４０】
この実施例１のグリル付きガスコンロの動作の一例を図１０，図１１のフローチャートに示す。図１０，図１１のフローチャートは本願発明のグリル付きガスコンロの動作の一例を示すものであり、本願発明の構成が図１０，図１１のフローチャートに限定されるものではない。
なお、図１０，図１１のフローにしたがって運転している場合に、電源スイッチが手動でＯＦＦ操作（手動）された場合には、消火動作（モーター弁閉止、電磁弁ＯＦＦ、燃焼表示ランプ消灯）を実行後、電源ランプが消火し、作動が停止する（電源スイッチ入力待ちの状態になる）ように構成されている。
【００４１】
上述のように、この実施例１のグリル付きガスコンロにおいては、グリル用の付加機能操作・表示部３３が収納位置に保持された状態で、グリル自動消火タイマーが動作した場合に、グリルバーナの燃焼表示ランプ２３（図２、３参照）の点滅、および、内蔵しているブザーＢ（図８）の間欠警鐘によりグリル自動消火タイマーが動作していることを報知するので、使用者が意図する調理時間を確保することができるように、自動消火タイマーを適切な時間に設定することを確実に促すことができる。したがって、器具本体１０の前面がフラットで、美観に優れ、かつ、グリルで調理される魚などが十分に焼けないような短い時間でグリルが自動消火してしまうというような不具合を確実に防止することが可能になる。
【００４２】
また、グリルバーナの燃焼表示ランプ２３、および、内蔵しているブザーＢを利用してグリル自動消火タイマーが動作していることを報知するようにしているので、別途、報知手段を設けることが不要で、コストの増大を招くことなく、調理が終了する前にグリルが自動消火してしまうことを確実に防止して、効率よく調理を行うことが可能になる。
【００４３】
なお、上記実施例１では、マイクロスイッチを用いて付加機能操作・表示部の収納状態を検出するようにしているが、リードスイッチや近接スイッチなどの、非接触のセンサ類を使用することも可能である。
【実施例２】
【００４４】
次に、本願発明の他の実施例（実施例２）について説明する。なお、この実施例２は請求項６の発明の構成に対応するものである。
この実施例２のグリル付きガスコンロは、以下に説明する特徴的な構成を除いて、上記実施例１のグリル付きガスコンロの構成と基本的に同じ構成を有している（図１〜図７までは共通）ので、ここでは、重複を避けるため、実施例２のグリル付きガスコンロの特徴的な部分についてのみ説明することとする。
【００４５】
この実施例２のグリル付きガスコンロは、グリル用の付加機能操作・表示部３３の収納状態を検出する検出手段として機能するマイクロスイッチを備えていない。
すなわち、この実施例２のグリル付きガスコンロでは、図１２に示すように、グリルバーナ操作部２２の押し込みストロークを利用して、グリル用の付加機能操作・表示部３３を操作および表示が可能な操作・表示位置に移行させるようにしている。
さらに詳しく説明すると、この実施例２のグリル付きガスコンロにおいては、図１２に示すように、バネ４３を備えた固定用ピン４４を、グリル用の付加機能操作・表示部３３に設けられた係合凹部（ノッチ）４５に係合させることにより、グリル用の付加機能操作・表示部３３を収納状態にロックするとともに、使用時には、グリルバーナ操作部２２の押し込みストロークＳＴを利用して、固定用ピン４４をグリル用の付加機能操作・表示部３３の係合凹部（ノッチ）４５から解除させることにより、付加機能操作・表示部３３を操作・表示位置に自動的に移行させることができるようにしている。
このように構成された実施例２のグリル付きガスコンロにおいて、グリル調理を行う場合、グリルバーナ操作部２２を押し込むことにより、グリルバーナ２ａ，２ｂ，２ｃが点火され、グリル自動消火タイマーが動作するとともに、付加機能操作・表示部３３が操作・表示位置に自動的に移行して、グリル自動消火タイマーの動作していることを報知する。
【００４６】
このグリル付きガスコンロにおいては、上述のように、グリルバーナ操作部２２を押し込んでグリルバーナを点火させた場合、自動的にタイマー操作表示部を含む付加機能操作・表示部３３が飛び出すため、使用者に自動消火タイマーの作動を確実に認識させることが可能になり、グリルで調理される魚などが十分に焼けないような短い時間でグリルが自動消火してしまうというような不具合を防止することが可能になる。
【００４７】
また、この実施例２のグリル付きガスコンロにおいては、最初に自動消火タイマーの作動を確認し、必要な設定を行った後は、使用者の判断で、付加機能操作・表示部３３を再度収納状態にすることができるので、不必要にグリル用の付加機能操作・表示部３３が飛び出した状態で使用する煩わしさがなく、使い勝手を向上させることができる。
【００４８】
また、上記実施例１および２のグリル付きガスコンロにおいては、グリル用の付加機能操作・表示部の収納および操作・表示位置への移行のための機構として、いわゆるカンガルーポケット機構を採用しているが、付加機能操作・表示部を、収納位置または操作・表示位置に移行させるための構成に特別の制約はなく、いわゆるスライド機構を採用して、グリル用の付加機能操作・表示部を器具本体の前方に押し出すように構成することも可能である。
【００４９】
また、グリル用の付加機能操作・表示部を駆動させるための機構として、ステッピングモータを用いた機構を採用することも可能であり、付加機能操作・表示部の出し入れを、押し込み力の不要なタッチ操作で行うことが可能になり、使用感を向上させることができる。
【００５０】
また、上記実施例１および２においては、グリルバーナの火力表示およびタイマー時間表示は、グリル用の付加機能操作・表示部が収納中においても表示されることになるが、グリル用の付加機能操作・表示部が収納状態にある場合には、表示しない（消灯状態とする）構成とすることも可能であり、この場合には、電力の消費量を低減して、例えば、電源として電池を用いている場合には電池寿命を延命することが可能になる。
【００５１】
本願発明はさらにその他の点においても上記実施例１および２に限定されるものではなく、報知手段の具体的な構成や構造、グリル用の付加機能操作・表示部の具体的な構成などに関し、発明の範囲内において種々の応用、変形を加えることが可能である。
【産業上の利用可能性】
【００５２】
上述のように、本願発明によれば、グリル調理の際に、使用者の意図に反して、調理が終了する前の段階で（短い時間で）グリルが自動消火してしまうことを防止して、効率よく調理を行うことが可能で、利便性が高く、器具本体の前面がフラットで美観に優れたグリル付きガスコンロを提供することが可能になる。
したがって、本願発明は、グリル自動消火タイマーを備えたグリル付きガスコンロに広く適用することが可能である。
【図面の簡単な説明】
【００５３】
【図１】本願発明の一実施例（実施例１）にかかるグリル付きガスコンロの外観構成を示す図である。
【図２】(ａ)，(ｂ)，(ｃ)は、本願発明の一実施例（実施例１）にかかるグリル付きガスコンロのバーナ操作部の操作方法を示す図である。
【図３】(ａ)，(ｂ)，(ｃ)は、本願発明の一実施例（実施例１）にかかるグリル付きガスコンロのバーナ操作部の操作方法を示す図である。
【図４】(ａ)，(ｂ)は本願発明の一実施例（実施例１）にかかるグリル付きガスコンロの、標準バーナ用の付加機能操作・表示部の操作・表示位置への移行前および移行後の状態を示す図である。
【図５】本願発明の一実施例（実施例１）にかかるグリル付きガスコンロの、標準バーナ用の付加機能操作・表示部の構成を示す図である。
【図６】(ａ)，(ｂ)は本願発明の一実施例（実施例１）にかかるグリル付きガスコンロの、グリル用の付加機能操作・表示部の操作・表示位置への移行前および移行後の状態を示す図である。
【図７】本願発明の一実施例（実施例１）にかかるグリル付きガスコンロの、グリル用の付加機能操作・表示部の構成を示す図である。
【図８】本願発明の一実施例（実施例１）にかかるグリル付きガスコンロの構成を示す図である。
【図９】本願発明の一実施例（実施例１）にかかるグリル付きガスコンロの、グリル用の付加機能操作・表示部の収納状態検出手段の構成を示す図である。
【図１０】本願発明の一実施例（実施例１）にかかるグリル付きガスコンロの制御フローを示す図である。
【図１１】本願発明の一実施例（実施例１）にかかるグリル付きガスコンロの制御フローを示す図である。
【図１２】本願発明の他の実施例（実施例２）にかかるグリル付きガスコンロの特徴部分の構成を示す図である。
【図１３】従来のグリル付きガスコンロを示す図であり、コンロ部側操作パネル、グリル側操作パネルが収納位置に収納された状態を示す図である。
【図１４】従来のグリル付きガスコンロを示す図であり、コンロ部側操作パネル、グリル側操作パネルが回動して、操作・表示位置に飛び出した状態を示す図である。
【符号の説明】
【００５４】
１ａ      標準バーナ
１ｂ      高火力バーナ
１ｃ      小バーナ
２ａ      上側バーナ（グリルバーナ）
２ｂ、２ｃ      下側バーナ（グリルバーナ）
３        モーター弁（閉止機能付きガス量調節弁）
４        グリル
５        排ガス温度センサ
６        庫内温度センサ
７        点火プラグ
８        熱電対
９        鍋底温度センサ
１０      器具本体
１１      主ガス配管
１２      ガス元電磁弁（遮断弁）
１３ａ    副ガス配管
１３ｂ    高火力バーナ用の副ガス配管
１３ｃ    小バーナ用の副ガス配管
１３ｄ    各グリルバーナ用の副ガス配管
１４      グリル用ガスガバナ
１５      オリフィス側分岐路
１６      各グリルバーナ用の切替電磁弁（火力切替弁）
１７      切替電磁弁側分岐路
１８      オリフィス
１９      位置センサ
２０      マイクロスイッチ（収納状態検出手段）
２１      バーナ操作部
２１ａ    標準バーナ操作部
２１ｂ    高火力バーナ操作部
２１ｃ    小バーナ操作部
２２      グリルバーナ操作部
２３      燃焼表示ランプ
２４      電源スイッチ
２５      電源ランプ
３２      付加機能操作・表示部
３３      グリル用の付加機能操作・表示部
４１      浮出ラッチ
４２      バネ
４３      バネ
４４      固定用ピン
４５      係合凹部（ノッチ）
Ｂ        ブザー
Ｈ        燃焼制御部
Ｋ        浮出ラッチの固定部
Ｓ        手動操作表示部（付加機能操作・表示部）
ＳＴ      押し込みストローク
【図１】
2006204769.tif 000003
【図２】
2006204769.tif 000004
【図３】
2006204769.tif 000005
【図４】
2006204769.tif 000006
【図５】
2006204769.tif 000007
【図６】
2006204769.tif 000008
【図７】
2006204769.tif 000009
【図８】
2006204769.tif 000010
【図９】
2006204769.tif 000011
【図１０】
2006204769.tif 000012
【図１１】
2006204769.tif 000013
【図１２】
2006204769.tif 000014
【図１３】
2006204769.tif 000015
【図１４】
2006204769.tif 000016